(57)【要約】【課題】  本発明は、カラー出力機において搬送系及び露光系のメカ誤差によって生じる色ずれを補正することのできる、色ずれ補正方法、色ずれ補正装置、色ずれ補正媒体を提供する。【解決手段】  テストデータを印刷し、含まれる色ずれを解析することでデバイス固有の色ずれ特性を記述した色ずれプロファイルを作成する。この色ずれプロファイルに基づいてデバイス及びその環境に最適な色ずれ補正を行うことを特徴とする。【選択図】        図１
2006157807.tif 000002
【特許請求の範囲】
【請求項１】
印刷時の色ずれ補正のために、印刷環境時における対象デバイスの色ずれ情報を保存した色ずれプロファイルを作成するシステムにおいて、色ずれ評価データの印刷結果から色ずれ量を解析するステップと、色ずれ量の大きさから色ずれプロファイルを作成するかどうか判定するステップと、色ずれプロファイルを作成すると判定された場合、各種色ずれ量を色ずれプロファイルとして保存するステップを有することを特徴とする色ずれ補正方法。
【請求項２】
請求項１記載の、色ずれ評価データの印刷結果から色ずれ量を解析するとは、色ずれ評価データを準備し、測定対象デバイスに対してその印刷命令を送るステップと、色ずれ評価データを対象デバイスから印刷するステップと、その印刷結果をスキャンするステップと、スキャン結果をソフト的に解析するステップを有することを特徴とする色ずれ補正方法。
【請求項３】
請求項１記載の、色ずれ量の大きさから色ずれプロファイルを作成するかどうか判定するとは、スキャンデータから解析された全ての色ずれの中で、色ずれ量の最大値がしきい値以上かどうか判定するステップと、全ての色ずれの中で、色ずれ量の平均値がしきい値以上かどうか判定するステップと、色ずれ量の最大値または平均値のいずれかがしきい値以上の場合、プロファイルを作成すると判定するステップを有することを特徴とする色ずれ補正方法。
【請求項４】
請求項１記載の、色ずれプロファイルを作成すると判定された場合、各種色ずれ量を色ずれプロファイルとして保存するとは、各プロセスカラーごとの最大色ずれ量を検出するステップと、各プロセスカラーごとの平均色ずれ量を検出するステップと、これらの情報を色ずれプロファイルとして保存するステップを有することを特徴とする色ずれ補正方法。
【請求項５】
印刷時の色ずれ補正のために、印刷環境時における対象デバイスの色ずれ情報を保存した色ずれプロファイルを作成するシステムにおいて、色ずれ評価データの印刷結果から色ずれ量を解析する手段と、色ずれ量の大きさから色ずれプロファイルを作成するかどうか判定する手段と、色ずれプロファイルを作成すると判定された場合、各種色ずれ量を色ずれプロファイルとして保存する手段を有することを特徴とする色ずれ補正装置。
【請求項６】
請求項５記載の、色ずれ評価データの印刷結果から色ずれ量を解析するとは、色ずれ評価データを準備し、測定対象デバイスに対してその印刷命令を送る手段と、色ずれ評価データを対象デバイスから印刷する手段と、その印刷結果をスキャンする手段と、スキャン結果をソフト的に解析する手段を有することを特徴とする色ずれ補正装置。
【請求項７】
請求項５記載の、色ずれ量の大きさから色ずれプロファイルを作成するかどうか判定するとは、スキャンデータから解析された全ての色ずれの中で、色ずれ量の最大値がしきい値以上かどうか判定する手段と、全ての色ずれの中で、色ずれ量の平均値がしきい値以上かどうか判定する手段と、色ずれ量の最大値または平均値のいずれかがしきい値以上の場合、プロファイルを作成すると判定する手段を有することを特徴とする色ずれ補正装置。
【請求項８】
請求項５記載の、色ずれプロファイルを作成すると判定された場合、各種色ずれ量を色ずれプロファイルとして保存するとは、各プロセスカラーごとの最大色ずれ量を検出する手段と、各プロセスカラーごとの平均色ずれ量を検出する手段と、これらの情報を色ずれプロファイルとして保存する手段を有することを特徴とする色ずれ補正装置。
【請求項９】
印刷時の色ずれ補正のために、印刷環境時における対象デバイスの色ずれ情報を保存した色ずれプロファイルを作成するシステムにおいて、色ずれ評価データの印刷結果から色ずれ量を解析する手順と、色ずれ量の大きさから色ずれプロファイルを作成するかどうか判定する手順と、色ずれプロファイルを作成すると判定された場合、各種色ずれ量を色ずれプロファイルとして保存する手順を有することを特徴とする色ずれ補正媒体。
【請求項１０】
請求項９記載の、色ずれ評価データの印刷結果から色ずれ量を解析するとは、色ずれ評価データを準備し、測定対象デバイスに対してその印刷命令を送る手順と、色ずれ評価データを対象デバイスから印刷する手順と、その印刷結果をスキャンする手順と、スキャン結果をソフト的に解析する手順を有することを特徴とする色ずれ補正媒体。
【請求項１１】
請求項９記載の、色ずれ量の大きさから色ずれプロファイルを作成するかどうか判定するとは、スキャンデータから解析された全ての色ずれの中で、色ずれ量の最大値がしきい値以上かどうか判定する手順と、全ての色ずれの中で、色ずれ量の平均値がしきい値以上かどうか判定する手順と、色ずれ量の最大値または平均値のいずれかがしきい値以上の場合、プロファイルを作成すると判定する手順を有することを特徴とする色ずれ補正媒体。
【請求項１２】
請求項９記載の、色ずれプロファイルを作成すると判定された場合、各種色ずれ量を色ずれプロファイルとして保存するとは、各プロセスカラーごとの最大色ずれ量を検出する手順と、各プロセスカラーごとの平均色ずれ量を検出する手順と、これらの情報を色ずれプロファイルとして保存する手順を有することを特徴とする色ずれ補正媒体。
【請求項１３】
請求項１記載の、色ずれプロファイル作成から得られた情報に基づいて適切な色ずれ補正を行うシステムにおいて、ＵｓｅｒＩｎｔｅｒｆａｃｅから入力データに対する色ずれ補正手法を選択するステップと、色ずれ補正方法にトラッピングが選択された場合、色ずれプロファイルの情報を用いてトラッピングを行うステップと、色ずれ補正方法にオート色ずれ補正が選択された場合、色ずれプロファイルの情報を用いてフォント／グラフィックのオブジェクトに対して色ずれ補正を行うステップと、各処理が行われたデータを印刷するステップを有することを特徴とする色ずれ補正方法。
【請求項１４】
請求項１３記載の、ＵｓｅｒＩｎｔｅｒｆａｃｅから入力データに対する色ずれ補正を選択するとは、スプールされたドキュメントのＰＤＬをインタープリットするステップと、そのデータに対して行う色ずれ補正手法をＵｓｅｒＩｎｔｅｒｆａｃｅから選択するステップを有することを特徴とする色ずれ補正方法。
【請求項１５】
請求項１３記載の、色ずれ補正方法にトラッピングが選択された場合、色ずれプロファイル情報を用いてトラッピングを行うとは、色ずれプロファイル読み込み、その中から各プロセスカラーの最大色ずれ量を読み込むステップと、その各プロセスカラーの最大色ずれ量をトラッピングのトラップ幅に設定するステップと、そのトラップ幅でトラッピング処理を行うステップを有することを特徴とする色ずれ補正方法。
【請求項１６】
請求項１３記載の、色ずれ補正方法にオート色ずれ補正が選択された場合、色ずれプロファイルの情報を用いてフォント／グラフィックのオブジェクトに対して色ずれ補正を行うとは、入力データのオブジェクトの種類によって処理を分類するステップと、オブジェクトの種類がフォント／グラフィックの場合、色ずれプロファイルを読み込み、その中から各プロセスカラーごとの平均色ずれ量を読み込むステップと、平均色ずれ量を打ち消す方向、つまり平均色ずれ量のマイナス方向に、各プロセスカラーごとにオブジェクトを座標移動させ、予め色ずれを低減させるステップを有することを特徴とする色ずれ補正方法。
【請求項１７】
請求項１３記載の、各処理が行われたデータを印刷するとは、色ずれ補正手法が行われたデータをレンダリングするステップと、生成されたイメージを印刷するステップを有することを特徴とする色ずれ補正方法。
【請求項１８】
色ずれプロファイル作成から得られた情報に基づいて適切な色ずれ補正を行うシステムにおいて、ＵｓｅｒＩｎｔｅｒｆａｃｅから入力データに対する色ずれ補正手法を選択する手段と、色ずれ補正装置にトラッピングが選択された場合、色ずれプロファイルの情報を用いてトラッピングを行う手段と、色ずれ補正装置にオート色ずれ補正が選択された場合、色ずれプロファイルの情報を用いてフォント／グラフィックのオブジェクトに対して色ずれ補正を行う手段と、各処理が行われたデータを印刷する手段を有することを特徴とする色ずれ補正装置。
【請求項１９】
請求項１８記載の、ＵｓｅｒＩｎｔｅｒｆａｃｅから入力データに対する色ずれ補正を選択するとは、スプールされたドキュメントのＰＤＬをインタープリットする手段と、そのデータに対して行う色ずれ補正手法をＵｓｅｒＩｎｔｅｒｆａｃｅから選択する手段を有することを特徴とする色ずれ補正装置。
【請求項２０】
請求項１８記載の、色ずれ補正装置にトラッピングが選択された場合、色ずれプロファイル情報を用いてトラッピングを行うとは、色ずれプロファイル読み込み、その中から各プロセスカラーの最大色ずれ量を読み込む手段と、その各プロセスカラーの最大色ずれ量をトラッピングのトラップ幅に設定する手段と、そのトラップ幅でトラッピング処理を行う手段を有することを特徴とする色ずれ補正装置。
【請求項２１】
請求項１８記載の、色ずれ補正装置にオート色ずれ補正が選択された場合、色ずれプロファイルの情報を用いてフォント／グラフィックのオブジェクトに対して色ずれ補正を行うとは、入力データのオブジェクトの種類によって処理を分類する手段と、オブジェクトの種類がフォント／グラフィックの場合、色ずれプロファイルを読み込み、その中から各プロセスカラーごとの平均色ずれ量を読み込む手段と、平均色ずれ量を打ち消す方向、つまり平均色ずれ量のマイナス方向に、各プロセスカラーごとにオブジェクトを座標移動させ、予め色ずれを低減させる手段を有することを特徴とする色ずれ補正装置。
【請求項２２】
請求項１８記載の、各処理が行われたデータを印刷するとは、色ずれ補正手法が行われたデータをレンダリングする手段と、生成されたイメージを印刷する手段を有することを特徴とする色ずれ補正装置。
【請求項２３】
色ずれプロファイル作成から得られた情報に基づいて適切な色ずれ補正を行うシステムにおいて、ＵｓｅｒＩｎｔｅｒｆａｃｅから入力データに対する色ずれ補正手法を選択する手順と、色ずれ補正媒体にトラッピングが選択された場合、色ずれプロファイルの情報を用いてトラッピングを行う手順と、色ずれ補正媒体にオート色ずれ補正が選択された場合、色ずれプロファイルの情報を用いてフォント／グラフィックのオブジェクトに対して色ずれ補正を行う手順と、各処理が行われたデータを印刷する手順を有することを特徴とする色ずれ補正媒体。
【請求項２４】
請求項２３記載の、ＵｓｅｒＩｎｔｅｒｆａｃｅから入力データに対する色ずれ補正を選択するとは、スプールされたドキュメントのＰＤＬをインタープリットする手順と、そのデータに対して行う色ずれ補正手法をＵｓｅｒＩｎｔｅｒｆａｃｅから選択する手順を有することを特徴とする色ずれ補正媒体。
【請求項２５】
請求項２３記載の、色ずれ補正媒体にトラッピングが選択された場合、色ずれプロファイル情報を用いてトラッピングを行うとは、色ずれプロファイル読み込み、その中から各プロセスカラーの最大色ずれ量を読み込む手順と、その各プロセスカラーの最大色ずれ量をトラッピングのトラップ幅に設定する手順と、そのトラップ幅でトラッピング処理を行う手順を有することを特徴とする色ずれ補正媒体。
【請求項２６】
請求項２３記載の、色ずれ補正媒体にオート色ずれ補正が選択された場合、色ずれプロファイルの情報を用いてフォント／グラフィックのオブジェクトに対して色ずれ補正を行うとは、入力データのオブジェクトの種類によって処理を分類する手順と、オブジェクトの種類がフォント／グラフィックの場合、色ずれプロファイルを読み込み、その中から各プロセスカラーごとの平均色ずれ量を読み込む手順と、平均色ずれ量を打ち消す方向、つまり平均色ずれ量のマイナス方向に、各プロセスカラーごとにオブジェクトを座標移動させ、予め色ずれを低減させる手順を有することを特徴とする色ずれ補正媒体。
【請求項２７】
請求項２３記載の、各処理が行われたデータを印刷するとは、色ずれ補正手法が行われたデータをレンダリングする手順と、生成されたイメージを印刷する手順を有することを特徴とする色ずれ補正媒体。
【発明の詳細な説明】
【技術分野】
【０００１】
本発明は、印刷装置、情報処理装置及び管理装置及びそれらの制御方法ならびにそれらを記憶する記憶媒体に関し、特に色ずれ補正方法、色ずれ補正装置、色ずれ補正媒体に係る。
【背景技術】
【０００２】
色ずれ（レジずれ、版ずれとも呼ばれる）は、様々な要因によって生じるメカ誤差である。デバイスの機種や使用回数、湿度や温度、紙の種類といった条件によって異なるため、完全に補正するのは極めて難しい。
【０００３】
テストパターンを印刷し、それからプロセスカラーごとの色ずれ量を測定し、その情報をデバイス内部の各種装置にフィードバックして色ずれ量を抑制する技術開発は進んでいる。しかし、これらの技術はハードウェアのみによって行われる補正技術であり、また対象デバイスの各種特性を考慮しておらず、各状況におけるデバイスの最適な色ずれ補正を行っていない。
【特許文献１】特開２０００−１９６９０６号公報
【発明の開示】
【発明が解決しようとする課題】
【０００４】
本発明は上述の問題点に着目してなされたものであって、カラー出力機において搬送系及び露光系のメカ誤差によって生じる色ずれを補正するために、デバイス固有の色ずれ特性を記述した色ずれプロファイルを作成し、それに基づいてデバイス及びその環境に最適な色ずれ補正を行うことのできる、色ずれ補正方法、色ずれ補正装置、色ずれ補正媒体を提供することを目的とする。
【課題を解決するための手段】
【０００５】
本発明は、印刷時の色ずれ補正のために、印刷環境時における対象デバイスの色ずれ情報を保存した色ずれプロファイルを作成するシステムにおいて、色ずれ評価データの印刷結果から色ずれ量を解析するステップと、色ずれ量の大きさから色ずれプロファイルを作成するかどうか判定するステップと、色ずれプロファイルを作成すると判定された場合、各種色ずれ量を色ずれプロファイルとして保存するステップを有することを特徴とする。
【発明の効果】
【０００６】
本発明は、色ずれ補正に、印刷時の各種環境における色ずれプロファイルを作成し、それに色ずれ量と方向を保存することで、各デバイスの機種特性や環境特性に最適な色ずれ補正手法を提供することができる。このような色ずれ補正技術は、印刷結果の品位向上に繋がるものである。
【発明を実施するための最良の形態】
【０００７】
以下本発明を実施するための最良の形態を、実施例により詳しく説明する。
【実施例１】
【０００８】
次に発明の実施例１について説明する。
【０００９】
図１は、本実施例にかかる基本的な構成を示すブロック図である。
【００１０】
図１において１はＣＰＵ、即ち中央処理装置であり、本装置全体の制御及び演算処理を行う。２はＲＡＭ、即ちランダムアクセスメモリであり、処理毎にそれぞれのプログラム及びデータがロードされ、実行される領域である。３はＲＯＭ、即ち読み出し専用メモリであり、システム制御プログラムや、フォントデータなどの記憶領域である。４はＫＢＣ、即ちキーボード制御部であり、キーボード５（ＫＢ）からのキー入力によりデータを受け取りＣＰＵ１へ伝達する。６はＰＲＴＣ、即ちプリンタ制御部であり、プリンタ装置７（ＰＲＴ）を制御するためのものである。プリンタ装置７は、レーザービームプリンタ、インクジェットプリンタなどである。８はＣＲＴＣ、即ちディスプレイ制御部であり、ディスプレイ装置９（ＣＲＴ）への表示制御を行う。１０はＤＫＣ、即ちディスク制御部であり、データ伝送などの制御を行うものである。１１はＦＤ（フロッピー（登録商標）ディスク装置）あるいはＨＤ（ハードディスク装置）あるいはＣＤ（ＣＤＲＯＭ）などの外部記憶装置であり、プログラム及びデータを記憶させておき、実行時必要に応じて参照またはＲＡＭ２へロードする。１２はシステムバスであり、上述の構成要素間におけるデータ転送の通路となるべきものである。
【００１１】
本装置は、基本Ｉ／Ｏ（入出力）プログラム、ＯＳ（オペレーティングシステム）、及び以下に説明する版ずれ補正プログラムをＣＰＵ１が実行することにより動作する。
【００１２】
基本Ｉ／ＯプログラムはＲＯＭ３に記憶されており、ＯＳはＨＤ１１に書き込まれている。そして本装置の電源がＯＮにされたとき、基本Ｉ／Ｏプログラム中のＩＰＬ（イニシャルプログラムローディング）機能によりＨＤ１１からＯＳがＲＡＭ２に読み込まれ、ＯＳの動作が開始される。
【００１３】
本実施例では、版ずれ補正制御プログラムおよび関連データは図２のようにＦＤ１１、またはＣＤＲＯＭ１１中に記録されており、このＦＤ１１またはＣＤ−ＲＯＭ１１に記録された版ずれ補正制御プログラムおよび関連データは図３に示すように、ＦＤドライブまたはＣＤ−ＲＯＭドライブを通じて、本装置のＨＤ１１にインストールする事ができる。この場合ＦＤ１１またはＣＤ−ＲＯＭ１１をＦＤドライブまたはＣＤ−ＲＯＭドライブにセットすると、ＯＳ及び基本Ｉ／Ｏプログラムの制御のもとに版ずれ補正制御プログラム及び関連データがＦＤ１１またはＣＤ−ＲＯＭ１１から読み出され、ＨＤ１１にインストールされて動作可能となる。
【００１４】
図４は版ずれ補正制御プログラムがＨＤ１１にインストールされ実行可能になった状態のメモリマップを示す。
【００１５】
図５は本実施例における色ずれ補正の設定に用いるため、印刷環境に応じたデバイス情報が保存された色ずれプロファイルを作成する流れを示すフローチャートである。
【００１６】
ステップＳ５０１では、色ずれ評価データの印刷命令を出す。次にステップＳ５０２で、これらの色ずれ評価データを印刷する。次にステップＳ５０３へ進み、印刷された結果をスキャンする。ステップＳ５０４で、印刷結果のスキャンデータから、色ずれを解析する。次にステップＳ５０５に進み、解析した色ずれ量の中で最大値を求め、それとしきい値を比較する。
【００１７】
最大色ずれ量がしきい値以上ではない場合、ステップＳ５０６に進む。検出された色ずれ量の平均値を求め、その平均色ずれ量としきい値を比較する。平均色ずれ量がしきい値以上の場合、色ずれ補正を行うためのプロファイルが必要であると判断し、ステップＳ５０７に進む。平均色ずれ量がしきい値以下の場合、最大値及び平均値において色ずれ量が少なく、色ずれ補正を行う必要はないと判断し、色ずれプロファイルは作成しない。
【００１８】
ステップＳ５０５において、最大色ずれ量がしきい値以上の場合、ステップＳ５０７に進む。ステップＳ５０７では、各プロセスカラーごとに最大色ずれ量（Ｘｍ，Ｙｍ）を検出する。色ずれ量は、主走査方向及び副走査方向といった方向性も持つので２次元座標で検出する。次にステップＳ５０８に進み、各プロセスカラーごとに平均色ずれ量（Ｘａ，Ｙａ）を検出する。次にステップＳ５０９に進み、検出した情報を色ずれプロファイルとして保存する。この結果、各機種及びその印刷時の環境における色ずれ特性を色ずれプロファイルを保存することができる。次にステップＳ５１０に進み、既に色ずれプロファイルが存在するかどうか確認する。色ずれプロファイルが存在しない場合、作成した色ずれプロファイルをデバイス上またはクライアントＰＣ上に新規保存する。色ずれプロファイルが存在する場合、作成した色ずれプロファイルを、過去に作成した色ずれプロファイルに上書き保存し、更新する。これら一連の処理により、色ずれ補正の設定に用いる色ずれプロファイルを予め作成することができる。
【実施例２】
【００１９】
図６は本実施例における図５で作成した色ずれプロファイル内の情報を用いた色ずれ補正の流れを示すフローチャートである。
【００２０】
ステップＳ６０１では、スプールされたＰＤＬに対して印刷命令を出す。次にステップＳ６０２に進み、ＰＤＬのインタープリットを行う。次にステップＳ６０３に進み、色ずれ補正手法をユーザーにＵＩ上で選択させる。色ずれ補正手法は、［トラッピング］、［オート色ずれ補正］、［オフ］の三種類から選択し、［オフ］を除いた項目には、作成した色ずれプロファイルを利用する。
【００２１】
ユーザーが色ずれ補正手法にトラッピングを選択した場合、ステップＳ６０４に進む。保存されている色ずれプロファイルを読み込み、そこから各プロセスカラーごとの最大色ずれ量を取り出す。次にステップＳ６０５に進み、各プロセスカラーごとの最大色ずれ量をトラップ幅に設定する。次にステップＳ６０６に進み、色ずれプロファイルを用いて設定されたトラップ幅で、トラッピング処理を行う。次にステップＳ６１０に進み、トラッピング処理がされた状態のデータをレンダリングし、ステップＳ６１１で印刷する。
【００２２】
ステップＳ６０３において、色ずれ補正手法に［オート色ずれ補正］が選択された場合、ステップＳ６０７に進む。ステップＳ６０７で、インタープリットされたオブジェクトの種類によって、処理を分岐する。オブジェクトの種類がフォントまたはグラフィックの場合、ステップＳ６０８に進む。保存されている色ずれプロファイルを読み込み、そこから各プロセスカラーごとの平均色ずれ量を取り出す。次にステップＳ６０９に進み、平均色ずれ量を打ち消しあう方向、つまり平均色ずれ量のマイナス方向に、予めオブジェクトを座標移動する。この処理により、色ずれが生じた場合にも、印刷結果としては色ずれを平均的に低減できる可能性が高い。この処理を各プロセスカラーに対して行う。次にステップＳ６１０に進み、オブジェクトが座標移動された状態のデータをレンダリングし、ステップＳ６１１で印刷する。
【００２３】
ステップＳ６０７において、オブジェクトの種類がイメージの場合、プロセスカラーごとの座標移動処理は、行わず、ステップＳ６１０に進み、元のデータのままレンダリングを行い、ステップＳ６１１で印刷する。
【００２４】
ステップＳ６０３において、色ずれ補正手法に［オフ］が選択された場合、色ずれ補正処理は行わないため、ステップＳ６１０に進む。ステップＳ６１０でレンダリング処理を行い、ステップＳ６１１で印刷する。
【図面の簡単な説明】
【００２５】
【図１】実施例の情報処理装置の構成図である。
【図２】ＦＤまたはＣＤ−ＲＯＭの記録内容を示す図である。
【図３】ＦＤまたはＣＤ−ＲＯＭと情報処理装置の関係図である。
【図４】情報処理装置のハードディスクにＦＡＸドライバがインストールされた際の情報処理装置のメモリマップを示す図である。
【図５】実施例１の処理の流れを示したフローチャート図である。
【図６】実施例２の処理の流れを示したフローチャート図である。
【符号の説明】
【００２６】
１  ＣＰＵ
２  ＲＡＭ
３  ＲＯＭ
４  ＫＢＣ
５  ＫＢ
６  ＰＲＴＣ
７  ＰＲＴ
８  ＣＲＴＣ
９  ＣＲＴ
１０  ＤＫＣ
１１  外部記憶装置
１２  システムバス
【図１】
2006157807.tif 000003
【図２】
2006157807.tif 000004
【図３】
2006157807.tif 000005
【図４】
2006157807.tif 000006
【図５】
2006157807.tif 000007
【図６】
2006157807.tif 000008